(57)【要約】【課題】  手間やコストをかけることなく、自然エネルギーを利用することにより室内の温度を上昇させることができる室内暖房システムを提供する。【解決手段】  建物１の最外層（外壁５や屋根７）の内側に設けられ、通過する外気が太陽光の放射熱を吸収可能な外気通路３と、外気通路３に外気を取り入れる外気取入口１１と、外気通路を通過した外気を建物１の室内に吹き出す外気吹出口１３とを備えることを要旨とする。【選択図】    図１
2007147150.tif 000002
【特許請求の範囲】
【請求項１】
建物の最外層の内側に設けられ、通過する外気が太陽光の放射熱を吸収可能な熱吸収部と、
前記熱吸収部に前記外気を取り入れる外気取入部と、
前記熱吸収部を通過した外気を前記建物の室内に吹き出す外気吹出部と
を備えることを特徴とする室内暖房システム。
【請求項２】
前記外気取入部は、
前記建物の外壁側に設けられた外壁側外気取入口と、
前記建物の屋根側に設けられた屋根側外気取入口とによって構成され、
前記熱吸収部は、
前記外壁の裏面側に位置する外壁通路と、
前記屋根の裏面側に位置する屋根通路とによって構成されていることを特徴とする請求項１に記載の室内暖房システム。
【請求項３】
前記外壁通路は、
前記外壁の裏面側に位置する外側外壁通路と、
前記外側外壁通路よりも内側に位置する内側外壁通路と
によって構成されていることを特徴とする請求項２に記載の室内暖房システム。
【請求項４】
前記熱吸収部を通過した前記外気により暖められ、かつ、前記熱吸収部を通過した前記外気の温度を上昇可能な蓄熱材をさらに備えることを特徴とする請求項１乃至請求項３のいずれか一項に記載の室内暖房システム。
【請求項５】
前記蓄熱材は、
前記建物の床下に配置されている蓄熱層と、
前記熱吸収部の周囲に配置されている蓄熱シートと
によって構成されていることを特徴とする請求項４に記載の室内暖房システム。
【請求項６】
前記熱吸収部の内側に位置し、前記建物内の室温を保温する断熱材をさらに備えることを特徴とする請求項１乃至請求項５のいずれか一項に記載の室内暖房システム。
【請求項７】
前記熱吸収部を通過した前記外気を前記建物の床下に送り込む床下送風機をさらに備えることを特徴とする請求項１乃至請求項６のいずれか一項に記載の室内暖房システム。
【請求項８】
前記熱吸収部を通過した前記外気を前記建物の上方へ送り込む送風管と、
前記送風管を通過した前記外気を室内へ送り込む床上送風機と
をさらに備えることを特徴とする請求項１乃至請求項７のいずれか一項に記載の室内暖房システム。
【発明の詳細な説明】
【技術分野】
【０００１】
本発明は、室内暖房システムに関し、特に、自然エネルギーを利用することにより室内の温度を上昇させることができる室内暖房システムに関する。
【背景技術】
【０００２】
従来、冬季において、ヒーターなどの暖房器具を運転させることにより、建物の室内の温度を上昇させることが行われている。この暖房器具を運転させる場合、ガスや石油などの化石エネルギーを浪費しており、地球環境に負荷を与えてしまうことが問題となっている。
【０００３】
この問題に対し、ビニールハウス内で暖めた外気を冬季の室内に送ることにより、室内の温度を上昇させる室内暖房システムが開示されている（例えば、特許文献１参照。）。
【０００４】
具体的には、室内暖房システムでは、地面が掘削された場所に砂利や木炭等が敷かれており、この砂利や木炭等が敷かれた上にビニールハウスが設置されている。また、室内暖房システムでは、ビニールハウスと室内とが送風管により繋がれており、ビニールハウス内の外気を送風管により室内へ送風させる。
【０００５】
このような室内暖房システムは、太陽光によりビニールハウス内が暖められるとともに、ビニールハウス内の外気が暖められ、この暖められた外気を送風管を介して室内へ送ることによって、室内の温度を上昇させることができる。
【特許文献１】特開２００５−２４２０８号公報（第２頁−第３頁、第１図）
【発明の開示】
【発明が解決しようとする課題】
【０００６】
しかしながら、上述した従来の室内暖房システムでは、太陽光により暖められた外気によって室内の温度を上昇させることができるが、地面を掘削する必要があるため、手間やコストがかかってしまうという問題があった。
【０００７】
そこで、本発明は、手間やコストをかけることなく、自然エネルギーを利用することにより室内の温度を上昇させることができる室内暖房システムを提供することを目的とする。
【課題を解決するための手段】
【０００８】
上述した課題を解決するため、本発明は、次のような特徴を有している。まず、本発明の第１の特徴は、建物の最外層の内側に設けられ、通過する外気が太陽光の放射熱を吸収可能な熱吸収部と、熱吸収部に外気を取り入れる外気取入部と、熱吸収部を通過した外気を建物の室内に吹き出す外気吹出部とを備えることを要旨とする。
【０００９】
かかる特徴によれば、通過する外気が太陽光の放射熱を吸収可能な熱吸収部と、熱吸収部に外気を取り入れる外気取入部と、熱吸収部を通過した外気を建物の室内に吹き出す外気吹出部とを室内暖房システムが備えることにより、手間やコストをかけることなく、自然エネルギーを利用することにより室内の温度を上昇させることができる。
【００１０】
具体的には、太陽光の放射熱を吸収可能な熱吸収部を外気が通過することにより、この外気は、太陽光の放射熱で暖められた最外層の内側（すなわち、熱吸収部）の温度と熱交換されて暖められる（温度が上昇する）。この暖められた外気を、建物の室内に吹き出すことにより、室内の温度を上昇させることができる。
【００１１】
また、特別な装置を使用しないため、設置費用などが安価で、かつメンテナンスする必要がない（すなわち、手間やコストをかけることがない）。さらに、熱吸収部が建物の最外層の内側に位置しているため、建物の外観や内観を損なうことがない。
【００１２】
本発明の第２の特徴は、外気取入部が、建物の外壁側に設けられた外壁側外気取入口と、建物の屋根側に設けられた屋根側外気取入口とによって構成され、熱吸収部が、外壁の裏面側に位置する外壁通路と、屋根の裏面側に位置する屋根通路とによって構成されていることを要旨とする。
【００１３】
かかる特徴によれば、外気取入部が、建物の外壁側に設けられた外壁側外気取入口と、建物の屋根側に設けられた屋根側外気取入口とによって構成され、熱吸収部が、外壁の裏面側に位置する外壁通路と、屋根の裏面側に位置する屋根通路とによって構成されていることにより、外気取入口から取り入れた外気を太陽光の放射熱で暖められた外壁及び屋根の裏面側の温度と熱交換して暖めることができるため、効率的に室内の温度を上昇させることができる。
【００１４】
本発明の第３の特徴は、外壁通路が、外壁の裏面側に位置する外側外壁通路と、外側外壁通路よりも内側に位置する内側外壁通路とによって構成されていることを要旨とする。
【００１５】
かかる特徴によれば、外壁通路が、外壁の裏面側に位置する外側外壁通路と、外側外壁通路よりも内側に位置する内側外壁通路とによって構成されていることにより、外気取入口から取り入れた外気の熱交換時間（太陽光の放射熱を吸収する時間）を長くすることができるため、さらに効率的に室内の温度を上昇させることができる。
【００１６】
本発明の第４の特徴は、熱吸収部を通過した外気により暖められ、かつ、熱吸収部を通過した外気の温度を上昇可能である蓄熱材を室内暖房システムがさらに備えることを要旨とする。
【００１７】
かかる特徴によれば、熱吸収部を通過した外気により暖められ、かつ、熱吸収部を通過した外気の温度を上昇可能な蓄熱材を室内暖房システムがさらに備えることにより、日中では、熱吸収部を通過した外気により蓄熱材が暖められ、夜間では、熱吸収部を通過した外気の温度を上昇させることができる。
【００１８】
すなわち、太陽光のない夜間においても、日中に暖められた蓄熱材を通過した外気（蓄熱材で暖められた外気）を室内に吹き出すことが可能であるため、室内の温度を上昇させることができる。
【００１９】
本発明の第５の特徴は、蓄熱材が、建物の床下に配置されている蓄熱層と、熱吸収部の周囲に配置されている蓄熱シートとによって構成されていることを要旨とする。
【００２０】
かかる特徴によれば、蓄熱材が、建物の床下に配置されている蓄熱層と、熱吸収部の周囲に配置されている蓄熱シートとによって構成されていることにより、建物の外観及び内観を損なうことなく、床下や熱吸収部の周囲のスペースを有効活用することができる。
【００２１】
本発明の第６の特徴は、熱吸収部の内側に位置し、建物内の室温を保温する断熱材を室内暖房システムがさらに備えることを要旨とする。
【００２２】
かかる特徴によれば、建物内の室温を保温する断熱材を室内暖房システムがさらに備えることにより、熱吸収部内の温度を保つことができるとともに、熱吸収部内を通過した外気によって暖められた室内の温度をも保つことができる。
【００２３】
本発明の第７の特徴は、熱吸収部を通過した外気を建物の床下に送り込む床下送風機を室内暖房システムがさらに備えることを要旨とする。
【００２４】
かかる特徴によれば、熱吸収部を通過した外気を建物の床下に送り込む床下送風機を室内暖房システムがさらに備えることにより、熱吸収部を通過した外気を効率的に室内へ送風することができるため、より効率的に室内の温度を上昇させることができる。
【００２５】
本発明の第８の特徴は、熱吸収部を通過した外気を建物の上方へ送り込む送風管と、送風管を通過した外気を室内へ送り込む床上送風機とを室内暖房システムがさらに備えることを要旨とする。
【００２６】
かかる特徴によれば、熱吸収部を通過した外気を建物の上方へ送り込む送風管と、送風管を通過した外気を室内へ送り込む床上送風機とを室内暖房システムがさらに備えることにより、送風管を通過した外気を建物の上方から吹き出すことができるため、例えば、２階建て以上の場合であっても、２階以上の室内の温度を効率的に上昇させることが可能となる。
【発明の効果】
【００２７】
本発明によれば、通過する外気が太陽光の放射熱を吸収可能な熱吸収部と、熱吸収部に外気を取り入れる外気取入部と、熱吸収部を通過した外気を建物の室内に吹き出す外気吹出部とを備えることにより、手間やコストをかけることなく、自然エネルギーを利用することにより室内の温度を上昇させることができる室内暖房システムを提供することができる。
【発明を実施するための最良の形態】
【００２８】
次に、本発明に係る室内暖房システムの一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれていることは勿論である。
【００２９】
（室内暖房システム）
図１は、本実施形態に係る室内暖房システムを設置した建物の正面断面図であり、図２は、本実施形態に係る室内暖房システムの屋根側拡大正面図であり、図３は、本実施形態に係る室内暖房システムの外壁側拡大正面図である。
【００３０】
図１〜図３に示すように、室内暖房システムは、建物１の最外層の内側に設けられ、通過する外気が太陽光の反射熱を吸収可能な外気通路３（熱吸収部）を備えている。この外気通路３は、外壁５の裏面側に位置する外壁通路３ａと、屋根７の裏面側に位置する屋根通路３ｂとによって構成されている。
【００３１】
さらに、この外壁通路３ａは、図３に示すように、外壁５の裏面側に位置する外側外壁通路３ａ−１と、外側外壁通路３ａ−１よりも内側に位置する内側外壁通路３ａ−２とによって構成されている。すなわち、外側外壁通路３ａ−１と内側外壁通路３ａ−２との間には、これらの通路を形成する中間層９が設けられている。
【００３２】
また、室内暖房システムは、外気通路３に外気を取り入れる外気取入口１１（外気取入部）を備えている。この外気取入口１１は、外壁５側に設けられた外壁側外気取入口１１ａと、屋根７側に設けられた屋根側外気取入口１１ｂとによって構成されている。
【００３３】
また、室内暖房システムは、外気通路３（外壁通路３ａや屋根通路３ｂ）を通過した外気を建物１の室内に吹き出す外気吹出口１３（外気吹出部）とを備えている。この外気吹出口１３は、建物１の１階に配置された外気吹出口１３ａと、建物１の２階に配置された外気吹出口１３ｂとによって構成されている。
【００３４】
また、室内暖房システムは、外気通路３（外壁通路３ａや屋根通路３ｂ）を通過した外気により暖められ、かつ、外気通路３を通過した外気の温度を上昇可能な蓄熱材１５をさらに備えている。具体的には、蓄熱材１５は、建物の床下に配置された蓄熱層１５ａ（例えば、割栗石や蓄熱レンガ、水蓄熱）と、外気通路３の周囲に配置された蓄熱シート１５ｂ（例えば、潜熱蓄熱材）とによって構成されている。また、蓄熱層１５ａには、建物１の床下に外気を送りやすくするための送風管１７が設けられている。
【００３５】
また、室内暖房システムは、外気通路３（外壁通路３ａや屋根通路３ｂ）の内側に位置し、建物１内の室温を保温する断熱材１９をさらに備えている。
【００３６】
また、室内暖房システムは、外気通路３（外壁通路３ａや屋根通路３ｂ）を通過した外気を建物１の床下に送り込む床下送風ファン２１（床下送風機）をさらに備えている。
【００３７】
さらに、室内暖房システムは、外気通路３（外壁通路３ａや屋根通路３ｂ）を通過した外気を建物１の上方（２階天井裏）へ送り込む送風管２３と、送風管２３を通過した外気を室内へ送り込む床上送風ファン２５（床上送風機）とをさらに備えている。
【００３８】
（日中の外気の流れ）
次に、本実施形態に係る室内暖房システムを利用する日中の外気の流れについて、図面を参照しながら説明する。図４は、本実施形態に係る室内暖房システムを利用する日中の外気の流れ示すフロー図である。
【００３９】
図４に示すように、ステップ１０１において、外気は、外気取入口１１（外壁側外気取入口１１ａや屋根側外気取入口１１ｂ）から取り入れられて、外気通路３（外壁通路３ａや屋根通路３ｂ）へ送り込まれる。
【００４０】
ステップ１０２において、外気通路３へ送り込まれた外気は、太陽光で暖められた外気通路３内の温度と熱交換されて暖められる（温度が上昇する）。この時、外気通路３へ送り込まれた外気は、蓄熱シート１５ｂを暖めながら通過する。
【００４１】
ステップ１０３において、外気通路３を通過した外気は、蓄熱層１５ａを暖めながら通過する。
【００４２】
ステップ１０４において、蓄熱層１５ａを通過した外気は、室内に設けられた外気吹出口１３から吹き出すことにより、室内の温度を上昇させる。
【００４３】
（夜間の外気の流れ）
次に、本実施形態に係る室内暖房システムを利用する夜間の外気の流れについて、図面を参照しながら説明する。図５は、本実施形態に係る室内暖房システムを利用する夜間の外気の流れ示すフロー図である。
【００４４】
図５に示すように、ステップ２０１において、外気は、外気取入口１１（外壁側外気取入口１１ａや屋根側外気取入口１１ｂ）から取り入れられて、外気通路３（外壁通路３ａや屋根通路３ｂ）へ送り込まれる。
【００４５】
ステップ２０２において、外気通路３へ送り込まれた外気は、外気通路３内の温度と熱交換されて暖められる（温度が上昇する）。ここで、外気通路３へ送り込まれた外気は、日中に暖められた蓄熱シート１５ｂによって暖められる。
【００４６】
ステップ３０３において、外気通路３を通過した外気は、蓄熱層１５ａを通過する。ここで、外気通路３を通過した外気は、ステップ２０２において日中よりも温度の上昇が少ない場合であっても、日中に暖められた蓄熱層１５ａを通過することにより、この蓄熱層１５ａと熱交換されて暖められる。
【００４７】
ステップ１０４において、蓄熱層１５ａを通過した外気は、室内に設けられた外気吹出口１３から吹き出すことにより、室内の温度を上昇させる。
【００４８】
（作用・効果）
以上説明した本実施形態に係る室内暖房システムによれば、通過する外気が太陽光の放射熱を吸収可能な外気通路３と、外気通路３に外気を取り入れる外気取入口１１と、外気通路３を通過した外気を建物１の室内に吹き出す外気吹出口１３とを備えることにより、手間やコストをかけることなく、自然エネルギーを利用することにより室内の温度を上昇させることができる。
【００４９】
ここで、冬季において、太陽光を受ける建物１の最外層（外壁５や屋根７）の表面温度は４５〜５５℃になり、建物１の最外層の内側に設けられた外気通路３は４０〜４３℃となる。このため、外気取入口１１から取り入れた外気は、外気通路３を通過することにより、太陽光の放射熱で暖められた最外層の内側（すなわち、外気通路３）の温度と熱交換されて暖められる（温度が上昇する）。この暖められた外気を、室内に設けられた外気吹出口１３から吹き出すことにより、室内の温度を上昇させることができる。
【００５０】
また、特別な装置を使用しないため、設置費用などが安価で、かつメンテナンスする必要がない（すなわち、手間やコストをかけることがない）。さらに、外気通路３が建物１の最外層の内側に位置しているため、建物１の外観や内観を損なうことがない。
【００５１】
また、外気取入口１１が、建物１の外壁５側に設けられた外壁側外気取入口１１ａと、建物１の屋根７側に設けられた屋根側外気取入口１１ｂとによって構成され、外気通路３が、外壁５の裏面側に位置する外壁通路３ａと、屋根７の裏面側に位置する屋根通路３ｂとによって構成されていることにより、外気取入口１１から取り入れた外気を太陽光の放射熱で暖められた外壁５及び屋根７の裏面側の温度と熱交換して暖めることができるため、効率的に室内の温度を上昇させることができる。
【００５２】
また、外壁通路３ａが、外壁５の裏面側に位置する外側外壁通路３ａ−１と、外側外壁通路３ａ−１よりも内側に位置する内側外壁通路３ａ−２とによって構成されていることにより、外気取入口１１から取り入れた外気の熱交換時間（太陽光の放射熱を吸収する時間）を長くすることができるため、さらに効率的に室内の温度を上昇させることができる。
【００５３】
また、外気通路３を通過した外気により暖められ、かつ、外気通路３を通過した外気の温度を上昇可能な蓄熱材１５をさらに備えることにより、日中では、外気通路３を通過した外気により蓄熱材１５が暖められ、夜間では、外気通路３を通過した外気の温度を上昇させることができる。
【００５４】
すなわち、太陽光のない夜間においても、日中に暖められた蓄熱材１５を通過した外気（蓄熱材１５で暖められた外気）を室内に吹き出すことが可能であるため、室内の温度を上昇させることができる。
【００５５】
また、蓄熱材１５が、建物の床下に配置されている蓄熱層１５ａと、外気通路３の周囲に配置されている蓄熱シート１５ｂとによって構成されていることにより、建物１の外観及び内観を損なうことなく、床下や外気通路の周囲のスペースを有効活用することができる。
【００５６】
また、建物１内の室温を保温する断熱材１９をさらに備えることにより、外気通路３内の温度を保つことができるとともに、外気通路３内を通過した外気によって暖められた室内の温度をも保つことができる。
【００５７】
また、外気通路３を通過した外気を建物１の床下に送り込む床下送風ファン２１をさらに備えることにより、外気通路３を通過した外気を効率的に室内へ送風することができるため、より効率的に室内の温度を上昇させることができる。
【００５８】
さらに、外気通路３を通過した外気を建物の上方（２階天井裏）へ送り込む送風管２３と、送風管２３を通過した外気を室内へ送り込む床上送風ファン２５とをさらに備えることにより、送風管２３を通過した外気を建物１の上方から吹き出すことができるため、例えば、２階建て以上の場合であっても、２階以上の室内の温度を効率的に上昇させることが可能となる。
【００５９】
このように、本実施形態に係る室内暖房システムは、自然エネルギーを利用することにより、二酸化炭素の削減を実現することができ、地球温暖化の防止に寄与することが可能であるとともに、送風ファンの電力以外のランニングコストをかからなくすることができる。
【００６０】
また、特別な装置を使用しないため、設置費用などが安価で、かつメンテナンスする必要がないため、耐久年数に優れている。また、建築基準法で義務づけられている２４時間換気システムの給気口とすることができ、特別に給気口を設けることがないため、建物１の建築費用を削減することが可能となる。さらに、外気通路３内を外気が通過することにより、外気通路３内の結露の発生を防ぎ、腐朽菌の発生をも防ぐことができるため、建物１の耐久年数を延ばすことができる。
【００６１】
（変更例１）
上述したように、本発明の一実施形態を通じて本発明の内容を開示したが、この開示の一部をなす論述及び図面は、本発明を限定するものであると理解すべきではない。この開示から当業者には様々な代替実施の形態、実施例及び運用技術が明らかになろう。
【００６２】
例えば、上述した実施形態では、外側外壁通路３ａ−１と内側外壁通路３ａ−２との間には、これらの通路を形成する中間層９が設けられているものとして説明したが、本発明は、以下のように変更することができる。
【００６３】
図６は、変更例１に係る室内暖房システムの外壁側拡大正面図である。以下、上述した本発明の実施形態に係る室内暖房システムと相違する部分を主として説明する。
【００６４】
図６に示すように、室内暖房システムを構成する外壁通路３ａは、外壁の裏面側に位置する外側外壁通路３ａ−１と、外側外壁通路３ａ−１よりも内側に位置する内側外壁通路３ａ−２とによって構成されている。
【００６５】
この内側外壁通路３ａ−２は、外側外壁通路の内側に位置する第１の内側外壁通路３ａ−２ａと、第１の内側外壁通路３ａ−２ａの内側に位置する第２の内側外壁通路３ａ−２ｂと、第２の内側外壁通路３ａ−２ｂの内側に位置する第３の内側外壁通路３ａ−２ｃとによって構成されている。すなわち、外側外壁通路３ａ−１から第３の内側外壁通路３ａ−２ｃまでの間には、通路を形成する中間層９ａ〜９ｃの３層が設けられている。
【００６６】
このように、複数の内側外壁通路３ａが形成されていることにより、外気取入口１１から取り入れた外気の熱交換時間（太陽光の放射熱を吸収する時間）を長くすることができるため、さらに効率的に室内の温度を上昇させることができる。
【００６７】
［その他の実施形態］
上述したように、本発明の実施形態及び変更例を通じて本発明の内容を開示したが、この開示の一部をなす論述及び図面は、本発明を限定するものであると理解すべきではない。
【００６８】
具体的には、本発明に係る室内暖房システムは、外気通路３（熱吸収部）と、外気取入口１１（外気取入部）と、外気吹出口１３（外気吹出部）を少なくとも備えていればよい。
【００６９】
例えば、外気吹出口１３ａ，１３ｂは、室内の床に設けられているものとして説明したが、これに限定されるものではなく、室内の壁に設けられていてもよい。すなわち、外気吹出口１３ａ，１３ｂは、蓄熱層１５ａを通過した外気を吹き出すものとして説明したが、これに限定されるものではなく、外気通路３（外壁通路３ａや屋根通路３ｂ）を通過した外気を室内へ直接吹き出すものであってもよい。
【００７０】
また、熱吸収部は、外気通路３であるものとして説明したが、これに限定されるものではなく、外気が通過可能なもの（例えば、パイプ）であっても勿論よい。
【００７１】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００７２】
【図１】本実施形態に係る室内暖房システムを設置した建物の正面断面図である。
【図２】本実施形態に係る本実施形態に係る室内暖房システムの屋根側拡大正面図である。
【図３】本実施形態に係る室内暖房システムの外壁側拡大正面図である。
【図４】本実施形態に係る室内暖房システムを利用する日中の空気の流れを示すフロー図である。
【図５】本実施形態に係る室内暖房システムを利用する夜間の空気の流れを示すフロー図である。
【図６】変更例１に係る室内暖房システムの外壁側拡大正面図である。
【符号の説明】
【００７３】
１…建物、３…外気通路、３ａ…外壁通路、３ａ−１…外側外壁通路、３ａ−２…内側外壁通路、３ａ−２ａ…第１の内側外壁通路、３ａ−２ｂ…第２の内側外壁通路、３ａ−２ｃ…第３の内側外壁通路、３ｂ…屋根通路、５…外壁、７…屋根、９，９ａ〜９ｃ…中間層、１１…外気取入口、１１ａ…外壁側外気取入口、１１ｂ…屋根側外気取入口、１３，１３ａ，１３ｂ…外気吹出口、１５…蓄熱材、１５ａ…蓄熱層、１５ｂ…蓄熱シート、１７…送風管、１９…断熱材、２１…床下送風ファン、２３…送風管、２５…床上送風ファン
【図１】
2007147150.tif 000003
【図２】
2007147150.tif 000004
【図３】
2007147150.tif 000005
【図４】
2007147150.tif 000006
【図５】
2007147150.tif 000007
【図６】
2007147150.tif 000008